(57)【特許請求の範囲】
【請求項１】
机の天板後部に配置され、その背部において引出し部材等が左右にスライド自在に取付けられる机上用書棚において、机上用書棚の背板の左右方向略中央部上端に上端面が開口する取付用凹部を形成し、照明器具の支柱前面に位置するカバー保持部材と支柱が、背板の前面より突出せず取付用凹部内に納まるよう連結ボルトにて、カバー保持部材と支柱を背板に連結し、カバー保持部材に着脱自在にカバー体を取付けて連結ボルトを隠蔽した状態で、カバー体の前面が背板の前面とほぼ面一に構成されていることを特徴とする机上用書棚における照明器具取付装置。
【発明の詳細な説明】
【技術分野】
【０００１】
本発明は、学習机の天板後部に配置される机上用書棚における照明器具取付装置に関するものである。
【背景技術】
【０００２】
この種の照明器具取付装置は、上端部に灯具が取り付いた照明器具の支柱を、左右側板の後端部間に配設させた背板の前面側に位置せしめ、支柱の下部を棚部に形成した支柱支持部に支持し、支柱の上部を背板に形成された連結孔に、前面側から連結ネジにて連結することにより前面側から照明器具を着脱自在に取付け可能としていた。（例えば、特許文献１参照。）
【０００３】
この場合、照明器具の支柱は背板より前方に突出しているので、棚部に書籍等を整理整頓する場合、突出した支柱が邪魔になり、きれいに整理整頓できないだけでなく、棚部を左右にスライドさせることが出来ないので、天板後部の上方空間を自在にレイアウトし、有効に活用することもできなかった。
【０００４】
【特許文献１】特許第３６８４１３９号公報
【発明の開示】
【発明が解決しようとする課題】
【０００５】
本発明は、従来の問題点に鑑みて、天板上の空間を広範囲に渡って利用可能とすることが出来、美観的にも優れた、机上用書棚における照明器具取付装置を提供する事を課題とする。
【課題を解決するための手段】
【０００７】
そこで、上記課題を解決する為、本発明が第１の手段として構成したところは、机の天板後部に配置され、その背部において引出し部材等が左右にスライド自在に取付けられる机上用書棚において、机上用書棚の背板の左右方向略中央部上端に上端面が開口する取付用凹部を形成し、照明器具の支柱前面に位置するカバー保持部材と支柱が、背板の前面より突出せず取付用凹部内に納まるよう連結ボルトにて、カバー保持部材と支柱を背板に連結し、カバー保持部材に着脱自在にカバー体を取付けて連結ボルトを隠蔽した状態で、カバー体の前面が背板の前面とほぼ面一に構成されているものである。
【発明の効果】
【０００８】
請求項１に記載の発明によると、照明器具の支柱は前面が背板の前面より突出せず、背板に形成された取付用凹部内におさまっているので、机上用書棚の背部に設けた引出し部材等が自在に所望位置にスライド出来るので、天板後部の上方空間を自在にレイアウトする事ができ、空間の有効活用を図ることが出来る。
さらに、カバー保持部材と支柱を背板に連結し、カバー保持部材に着脱自在にカバー体を取付けて連結ボルトを隠蔽したので、連結ボルトが露呈せず美観的にすぐれ、カバー体が背板の前面とほぼ面一であるから引出し部材等の移動に支障をきたす事がない。
【発明を実施するための最良の形態】
【００１０】
本発明は、机の天板後部に配置され、その背部において引出し部材等が左右にスライド自在に取付けられる机上用書棚において、机上用書棚の背板の左右方向略中央部上端に上端面が開口する取付用凹部を形成し、照明器具の支柱前面に位置するカバー保持部材と支柱が、背板の前面より突出せず取付用凹部内に納まるよう連結ボルトにて、カバー保持部材と支柱を背板に連結し、カバー保持部材に着脱自在にカバー体を取付けて連結ボルトを隠蔽した状態で、カバー体の前面が背板の前面とほぼ面一に構成されているものである。
【実施例】
【００１１】
以下、添付図面の図１〜図１１に基づいて実施例を詳述する。
図１において、符号１は机を示し、符号２は机１の天板１１の後部に着脱自在に備えられた机上用書棚を示し、符号１００は、机１と机上用書棚２からなる学習机を示している。
机１は、天板１１と、天板１１の左右端部下面に配設された左右脚体１２、１２と左右脚体１２、１２の後端部間に配設された机後板１３等より構成されている。符号１４は、天板１１の下方に収納可能な移動キャビネットを示している。
机上用書棚２は、左右側板２１、２１と、左右側板２１、２１の後端部間を連結する背板３と、背板３に着脱自在で、左右方向に移動自在に取付けられた仕切板部材５・・・と、背板３に着脱自在で、左右方向に移動自在に取付けられた引出し部材６・・・と、背板３に着脱自在で、左右方向に移動自在に取付けられた棚板部材７等より構成され、背板３の上端部前面で左右方向略中央部に照明器具８が取付けられている。
【００１２】
背板３は、学習机１００が窓際に設置された時に、外光を取り入れる為に設けられた間隙３０にて上背板３１と下背板３２に上下に分割され、下背板３２には上下方向に所定間隔を有して、左右方向全幅に渡って２本のレール材４、４が設けられている。
そして、上背板３１には、下方側に下背板３２に設けられたレール材４と同一のレール材４が設けられ、該レール材４の所定寸法上方で、上背板３１の上端部前面で左右方向略中央部に形成された照明器具取付部９の左右側に２本のレール材４、４が同一高さで設けられている。
【００１３】
上背板３１に設けられた下側のレール材４と下背板３２に設けられた上側のレール材４との間隔は、前記引出し部材６の高さ寸法より大きく形成され、下背板３１に設けられた２つのレール材４、４の間隔は、上背板３１に設けられた下側のレール材４と下背板３２に設けられた上側のレール材４との間隔より大きく形成され、上背板３１に設けられた上下２のレール材４、４の間隔と、下背板３１に設けられた下側のレール材４と天板１１の間隔はほぼ同じで、棚板部材７の高さ寸法より大きく、引出し部材６の高さ寸法より小さく形成されている。
【００１４】
レール材４は、図４、図５に示すように背板３（上背板３１、下背板３２）に形成された嵌合溝３３に前面側から密嵌する大きさで、前面が開口し、奥側ほど上側に湾曲する断面円弧状のスリット４１を長さ方向に連続して有するアルミ材の押し出し成形によって形成されている。
【００１５】
仕切板部材５は、高さ寸法が引出し部材６の高さ寸法よりやや大きめの板体５１と、板体５１の裏面にネジ止めされた仕切板係止部材５２より構成されている。
仕切板係止部材５２は、アルミ材の押し出し成形によって形成され、上端にレール材４のスリット４１に合致する奥側ほど上側に湾曲する円弧状の係止突条５３を有し、係止突条５３が板体５１の略中間高さに位置する状態で板体５１の裏面にネジ止め等にて取付けられている。
そして、仕切板部材５は、係止突条５３の上端をスリット４１の前端に上方からあてがわれ（図６に示す状態）、スリット４１のやや上方位置を回動中心として、仕切板部材５を下方に回動させることで、係止突条５３がスリット４１内に嵌入し、仕切板部材５はレール材４の上下方向に突出し、左右にスライド自在に係止される。
【００１６】
一方、仕切板部材５をレール材４より取外す場合は、板体５１の下端部を手前に持ち上げるようにして、スリットのやや上方位置を中心として上方に回動させて、スリット４１より係止突条５３を抜き出す。
尚、符号５４は、仕切板部材５をレール材４に着脱自在とする時に、仕切板部材５を回動させるための回動用逃がし面を示している。
【００１７】
棚板部材７は、左右側板２１、２１間の略半分程度の幅寸法の棚板部７１と、棚板部７１の左右端部下面に配設された左右支持板７２、７２と、左右支持板７２、７２の後端間に配設された棚背板７３と、棚背板７３の裏面にネジ止めされた棚係止部材７４より構成されている。
【００１８】
棚係止部材７４は、アルミ材の押し出し成形によって形成され、上端にレール材４のスリット４１に合致する奥側ほど上側に湾曲する円弧状の係止突条７５を有し、棚係止部材７４は係止突条７５が棚板７１の裏面でやや上方に突出する状態で、棚背板７３の左右方向のほぼ全幅に渡って取付けられている。
そして、棚板部材７は、係止突条７５の上端をスリット４１の前端に上方からあてがわれ、スリット４１のやや上方位置を回動中心として、棚板部材７を下方に回動させることで、係止突条７５がスリット４１内に嵌入し、棚板部材７はレール材４の下方向で、左右にスライド自在に係止される。
【００１９】
尚、実施例では係止突条７５は、棚背板７３の左右方向のほぼ全幅に渡って設けられているが、図７に示すように、上背板３１の上側のレール材４、４間に取付けられるように、係止突条７５が棚板部材７の左右端部側にのみ位置する様、棚係止部材７４を左右に分離して設けるようにしても良い。
【００２０】
引出し部材６は、左右側板２１、２１間の略４分の１程度の幅寸法の載置板部６１と、載置板部６１の左右端部下面に配設された左右引出し支持板６２、６２と、左右引出し支持板６２、６２の後端部間に配設された引出し部背板６３と、左右引出し支持板６２、６２間に出入自在に配設された小引出し６４と、引出し部背板６３の裏面にネジ止めされた引出し部係止部材６５より構成されている。
【００２１】
引出し部係止部材６５は、アルミ材の押し出し成形によって形成され、上端にレール材４のスリット４１に合致する奥側ほど上側に湾曲する円弧状の係止突条６６を有し、引出し部係止部材６５は係止突条６６が載置板部６１の裏面でやや上方に突出する状態で、引出し部背板６３の左右方向のほぼ全幅に渡って取付けられている。
そして、引出し部材６は、係止突条６６の上端をスリット４１の前端に上方からあてがわれ、スリット４１のやや上方位置を回動中心として、引出し部材６を下方に回動させることで、係止突条６６がスリット４１内に嵌入し、引出し部材６はレール材４の下方向で、左右にスライド自在に係止される。
【００２２】
尚、実施例では係止突条６６は、引出し部背板６３の左右方向のほぼ全幅に渡って設けられているが、上背板３１の上側のレール材４、４間にも取付けられるように、係止突条６６が引出し部材６の左右端部側にのみ位置する様、引出し部係止部材６５を左右に分離して設けるようにしても良い。
一方、引出し部材６、棚板部材７をレ−ル材４より取外す場合は、仕切板部材５をレール材４から取外すのと同様にして取外すことが出来る。
【００２３】
照明器具８は、支柱８１と、支柱８１の上端から屈折してほぼ水平方向に延びるアーム８２と該アーム８２の先端に姿勢変更自在に取付けられた照明体８３より構成されている。
支柱８１は、上背板３１の厚みのほぼ半分程度の厚みに形成され、上背板３１の照明器具取付部９に連結されている。
【００２４】
照明器具取付部９は、支柱８１の大部分が前面側から格納される大きさの取付用凹部９１と、取付用凹部９１の背面側で上下方向に所定間隔を有して形成された後方に貫通する連結用貫通孔９２、９２と、前面側に連結用ナット９３、９３が固着され、連結用ナット９３、９３が連結用貫通孔９２、９２内に位置した状態で、取付用凹部９１に対応して、上背板３１の裏面側にネジ止めされた連結用保持金具９４と、支柱８１が取付用凹部９１内に位置した状態で支柱８１の左右端部側と下端部側を囲む周部突壁９５を有し、所定の高さで後方に窪む連結用凹部９６が前面壁９７の左右方向中央部に形成された横断面略コ字形で合成樹脂材より形成されたカバー保持部材９８と、連結用凹部９６を前面側から着脱自在に閉塞するカバー体９９より構成されている。
【００２５】
そして、照明器具８の支柱８１には前記連結用ナット９３、９３に対応して、上下方向に長い取付用長孔８１１、８１１が形成され、カバー保持部材９８の連結用凹部９６には連結用ナット９３、９３に対応してボルト挿通孔９８１、９８１が形成され、カバー体９９の上下端部内面には支柱８１側に突出し、先端に係止突起を有する係合突片９９１、９９１が形成され、カバー保持部材９８には前記係合突片９９１、９９１が係脱自在な係合孔９８２、９８２が形成されている。
【００２６】
照明器具取付部９と照明器具８の支柱８１は上記の如く構成され、カバー保持部材９８の周部突壁９５の下端縁内面に支柱８１の下端部を当てがい、カバー保持部材９８を支柱８１の前面側に被せた状態で、カバー保持部材９８の周部突壁９５を取付用凹部９１内に嵌合し、次に、ボルト挿通孔９８１、９８１、取付用長孔８１１、８１１に連結ボルト９０、９０を貫通させに連結用ナット９３、９３に螺合させことにより支柱８１を上背板３１に連結する。
【００２７】
次に、係合孔９８２、９８２に係合突片９９１、９９１を係合させて、カバー保持部材９８にカバー体９９を取付けて連結ボルト９０、９０の頭部及び連結用凹部９６を隠蔽する。
そして、この状態で、カバー体９９、カバー保持部材９８、上背板３１の前面は共にほぼ面一となり、棚板部材７、引出し部材６を最上部のレール材４、４間に係脱自在、左右にスライド自在に取付けるのに支障をきたす事がない。
【００２８】
照明装置８は、取付用長孔８１１、８１１の上下方向の寸法の範囲内で上背板３１に対して高さ調節可能である。
照明装置８の高さ調節は、先ず係合孔９８２、９８２と係合突片９９１、９９１との係合を解除させてカバー体９９をカバー保持部材９８より取外し、連結ボルト９０、９０の頭部を露出させて、次に連結ボルト９０、９０と連結用ナット９３，９３との螺合を緩めて、取付用長孔８１１、８１１の上下方向の寸法の範囲内で、照明装置８の高さを所望の位置に調節した後に、再び連結ボルト９０、９０と連結用ナット９３，９３とを螺合させて、照明装置８の高さ方向の位置を固定させることによって行われる。高さ方向の位置を固定した後、係合孔９８２、９８２に係合突片９９１、９９１を係合させて、カバー保持部材９８にカバー体９９を取付けて連結ボルト９０、９０の頭部及び連結用凹部９６を隠蔽する。
すなわち、照明装置８の机上用書棚装置への取付けおよび取外しと、さらに高さ調節（照明位置の調整）等が前面側から行なえるので、その都度、学習机１００を動かす必要がなく、手軽に作業する事が出来る。さらに、支柱８１が上背板３１の前面側に突出することもないので、書籍等の整理整頓、棚板部材７等の移動に支障をきたす事もない。
【００２９】
尚、実施例では、背板３が外光を取り入れる為に設けられた間隙３０にて上背板３１と下背板３２に上下に分割されているが、間隙３０は複数個の抜き穴であっても良く、又、設けなくても良い。さらに、実施例では２つの引出し部材６、６を備えているが、一つでもよく、それぞれの部材の幅寸法は適宜変更可能であり、仕切板部材、引出し部材、棚板部材が上下方向に重合して取付可能となるように、レール部材の間隔や各部材の高さ寸法が設定されておればよい。
【図面の簡単な説明】
【００３０】
【図１】本発明を具備した学習机の正面図
【図２】引出し部材部分での縦断面図
【図３】棚板部材部分での縦断面図
【図４】仕切板部材の取付状態を示す要部拡大断面
【図５】棚板部材の取付状態を示す要部拡大断面
【図６】仕切板部材の取付動作の初期状態を示す要部拡大断面
【図７】２つの引出し部材と、棚板部材と、仕切板部材が上下に重合して取付けられた状態を示す本発明の正面図
【図８】棚板部材が照明器具取付部を跨いで取付けられた状態を示す本発明の正面図
【図９】各部材の他の配置状態を示す本発明の正面図
【図１０】本発明の要部拡大横断面図
【図１１】本発明の要部拡大縦断面図
【符号の説明】
【００３１】
１        机
１１      天板
１２      脚体
１００    学習机
２        机上用書棚
３        背板
３１      上背板
３２      下背板
４        レール材
５        仕切板部材
６        引出し部材
７        棚板部材
８        照明器具
８１      支柱
９        照明器具取付部
９０      連結ボルト
９１      取付用凹部
９８      カバー保持部材
９９      カバー体
【図１】
0004838598.tif 000002
【図２】
0004838598.tif 000003
【図３】
0004838598.tif 000004
【図４】
0004838598.tif 000005
【図５】
0004838598.tif 000006
【図６】
0004838598.tif 000007
【図７】
0004838598.tif 000008
【図８】
0004838598.tif 000009
【図９】
0004838598.tif 000010
【図１０】
0004838598.tif 000011
【図１１】
0004838598.tif 000012